(57)【要約】【課題】  １つ以上の記憶媒体に記憶されている複数の画像の中から所望の画像を容易かつ迅速に抽出することができる画像表示装置を提供する。【解決手段】  複数の画像データに対応する複数の縮小画像のうちの少なくとも１つの縮小画像を有する第１の画面を表示する表示手段８と、前記表示手段８に表示された、第１の画面の前記縮小画像から定めた第１抽出条件に合致する画像データを、前記複数の画像データから抽出する第１抽出手段４と、前記表示手段８に表示された、前記第１抽出手段４により抽出された前記画像データに対応する縮小画像のうちの少なくとも１つの縮小画像を有する第２の画面の前記縮小画像から定めた第２抽出条件に合致する画像データを、前記第１抽出手段４により抽出された前記画像データから抽出する第２抽出手段４とを備え、前記表示手段８に、前記第２抽出手段４により抽出された前記画像データに対応する少なくとも１つの前記縮小画像を有する第３の画面を表示することを特徴とする。【選択図】  図１
2010212932.tif 000002
【特許請求の範囲】
【請求項１】
複数の画像データに対応する複数の縮小画像のうちの少なくとも１つの縮小画像を有する第１の画面を表示する表示手段と、
前記表示手段に表示された、第１の画面の前記縮小画像から定めた第１抽出条件に合致する画像データを、前記複数の画像データから抽出する第１抽出手段と、
前記表示手段に表示された、前記第１抽出手段により抽出された前記画像データに対応する縮小画像のうちの少なくとも１つの縮小画像を有する第２の画面の前記縮小画像から定めた第２抽出条件に合致する画像データを、前記第１抽出手段により抽出された前記画像データから抽出する第２抽出手段とを備え、
前記表示手段に、前記第２抽出手段により抽出された前記画像データに対応する少なくとも１つの前記縮小画像を有する第３の画面を表示することを特徴とする画像表示装置。
【請求項２】
前記表示手段と前記第２抽出手段とは、前記第２の画面の表示と前記画像データの抽出を繰り返して行うことを特徴とする請求項１記載の画像表示装置。
【請求項３】
前記第１及び第２抽出手段の少なくとも一方により抽出された前記画像データを記憶する画像データ記憶手段を備え、
前記表示手段は、前記第３の画面の表示の後、前記第１及び第２の画面の少なくとも一方の画面を再表示することを特徴とする請求項１または請求項２記載の画像表示装置。
【請求項４】
前記第１及び第２抽出条件の少なくとも一方を記憶する情報記憶手段と、
前記表示手段に第３の画面が表示された後、前記第１及び第２抽出条件の少なくとも一方を変更する変更手段とを備え、
前記変更手段による変更の後、前記第１及び第２抽出手段の少なくとも一方により抽出される前記画像データ、及び前記第２及び第３の画面の少なくとも一方に表示される前記縮小画像を更新することを特徴とする請求項３記載の画像表示装置。
【請求項５】
前記第１及び第２の画面の少なくとも一方に表示された前記縮小画像の少なくとも１つを選択する選択手段を備え、
前記第１及び第２抽出手段の少なくとも一方は、選択された前記縮小画像に基づく前記第１及び第２抽出条件の少なくとも一方に基づいて前記画像データを抽出することを特徴とする請求項１〜請求項４の何れか一項に記載の画像表示装置。
【請求項６】
前記選択手段により複数の前記縮小画像が選択されたとき、前記第１及び第２抽出手段の少なくとも一方は、前記複数の縮小画像の何れか１つに基づく前記第１及び第２抽出条件の少なくとも一方に基づいて前記画像データを抽出することを特徴とする請求項５記載の画像表示装置。
【請求項７】
前記第１及び第２抽出条件の少なくとも一方を推奨する推奨手段を備えることを特徴とする請求項１〜請求項６の何れか一項に記載の画像表示装置。
【請求項８】
前記第１の画面では、前記縮小画像を無作為に選択された順序で表示し、
前記第２の画面では、前記縮小画像の少なくとも一部を、前記第１の画面に表示されていた位置と異なる位置に表示し、
前記第３の画面では、前記縮小画像の少なくとも一部を、前記第２の画面に表示されていた位置と異なる位置に表示することを特徴とする請求項１〜請求項７の何れか一項に記載の画像表示装置。
【請求項９】
前記第２及び第３の画面の少なくとも一方は、前記選択手段により選択された前記縮小画像を、前記縮小画像が表示されていた位置に表示することを特徴とする請求項５〜請求項８の何れか一項に記載の画像表示装置。
【請求項１０】
複数の画像データに対応する複数の縮小画像を無作為に選択された順序で表示する表示手段と、
前記表示手段に表示された前記縮小画像から定めた抽出条件に合致する画像データを、前記複数の画像データから抽出する抽出手段とを備え、
前記表示手段は、前記抽出手段により抽出された前記画像データに対応する前記縮小画像を有する画面を表示することを特徴とする画像表示装置。
【発明の詳細な説明】
【技術分野】
【０００１】
本発明は、画像表示装置に関するものである。
【背景技術】
【０００２】
複数の記憶媒体に記憶されている画像の画像情報等に基づいて作成された特徴画像を用いて、複数の記憶媒体に記憶されている画像の中から所望の画像を探し出す情報管理装置が提案されている（例えば、特許文献１参照）。
【先行技術文献】
【特許文献】
【０００３】
【特許文献１】特開２００６−５００９５号公報
【発明の概要】
【発明が解決しようとする課題】
【０００４】
例えば、ファイル検索機能等を用いてファイル名等の所定の検索条件に合致した画像を抽出することにより、１つ以上の記憶媒体に記憶されている相当数の画像の中から所望の画像を探し出すことができる。しかしながら、具体的な検索条件を指定することができない場合等、従来のファイル検索機能では相当数の画像の中から所望の画像を探し出すのに労力と時間を要する場合があった。
【０００５】
本発明の目的は、１つ以上の記憶媒体に記憶されている複数の画像の中から所望の画像を容易かつ迅速に抽出することができる画像表示装置を提供することである。
【課題を解決するための手段】
【０００６】
本発明の画像表示装置は、複数の画像データに対応する複数の縮小画像のうちの少なくとも１つの縮小画像を有する第１の画面を表示する表示手段と、前記表示手段に表示された、第１の画面の前記縮小画像から定めた第１抽出条件に合致する画像データを、前記複数の画像データから抽出する第１抽出手段と、前記表示手段に表示された、前記第１抽出手段により抽出された前記画像データに対応する縮小画像のうちの少なくとも１つの縮小画像を有する第２の画面の前記縮小画像から定めた第２抽出条件に合致する画像データを、前記第１抽出手段により抽出された前記画像データから抽出する第２抽出手段とを備え、前記表示手段に、前記第２抽出手段により抽出された前記画像データに対応する少なくとも１つの前記縮小画像を有する第３の画面を表示することを特徴とする。
【０００７】
また、本発明の画像表示装置は、複数の画像データに対応する複数の縮小画像を無作為に選択された順序で表示する表示手段と、前記表示手段に表示された前記縮小画像から定めた抽出条件に合致する画像データを、前記複数の画像データから抽出する抽出手段とを備え、前記表示手段は、前記抽出手段により抽出された前記画像データに対応する前記縮小画像を有する画面を表示することを特徴とする。
【発明の効果】
【０００８】
本発明の画像表示装置によれば、１つ以上の記憶媒体に記憶されている複数の画像の中から所望の画像を容易かつ迅速に抽出することができる。
【図面の簡単な説明】
【０００９】
【図１】第１の実施の形態に係る画像表示装置のシステム構成を示すブロック図である。
【図２】第１の実施の形態に係る画像表示装置において画像を抽出する際の処理について説明するためのフローチャートである。
【図３】第１の実施の形態に係る画像表示装置において検索可能な全画像を示す図である。
【図４】第１の実施の形態に係る表示部の画面の状態を示す図である。
【図５】第１の実施の形態に係る表示部の画面の状態を示す図である。
【図６】第１の実施の形態に係る表示部の画面の状態を示す図である。
【図７】第１の実施の形態に係る表示部の画面の状態を示す図である。
【図８】第２の実施の形態に係る画像表示装置において画像を抽出する際の処理について説明するためのフローチャートである。
【図９】第２の実施の形態に係る表示部の画面の状態を示す図である。
【図１０】第２の実施の形態に係る表示部の画面の状態を示す図である。
【図１１】第２の実施の形態に係る表示部の画面の状態を示す図である。
【発明を実施するための形態】
【００１０】
以下、図面を参照して、本発明の第１の実施の形態に係る画像表示装置について説明する。なお、第１の実施の形態に係る画像表示装置とは、記憶媒体等に記憶されている画像データから形成される画像を表示するための液晶パネル等の画像表示部を備えたものであり、例としてノートパソコンやデスクトップパソコン等のパーソナルコンピュータ（以下、ＰＣという。）が挙げられる。
【００１１】
図１は、第１の実施の形態に係る画像表示装置２のシステム構成を示すブロック図である。画像表示装置２は、画像表示装置２の各部を統括的に制御するＣＰＵ４を備えており、ＣＰＵ４には、内部メモリ６、表示部８、操作部１０、メモリカードスロット１２、ＵＳＢポート１４、及びネットワーク端子１６が接続されている。内部メモリ６には、画像表示装置２が動作するためのプログラム、相当数の画像データ及び該画像データに関する情報等が記憶されている。表示部８には、内部メモリ６、後述するメモリカード１２ａ及び後述するＷｅｂサーバ２０に記憶されている画像データから形成される画像等が表示される。
【００１２】
操作部１０は、ユーザーが操作するための例えばキーボードやポインティングデバイス等を含んで構成されている。メモリカードスロット１２には画像データ等が記憶されたメモリカードが挿入され、ＵＢＳポート１４にはＵＳＢ機器が接続される。また、ネットワーク端子１６は、インターネット等のネットワーク１８に接続するために用いられ、画像表示装置２には、ネットワーク端子１６を介してネットワーク１８上に存在するＷｅｂサーバ２０が接続されている。Ｗｅｂサーバ２０には、相当数の画像データが蓄積されている。
【００１３】
次に、図２のフローチャートを参照して、画像表示装置２において所望の画像を抽出する際の処理について説明する。なお、この実施の形態においては、メモリカードスロット１２にメモリカード１２ａが挿入されているものとし、メモリカード１２ａには相当数の画像データが記憶されているものとする。また、この実施の形態では、図３に示すように、内部メモリ６に記憶されている全画像データ（画像Ａ〜Ｄ、その他相当数の画像Ｘ）、メモリカード１２ａに記憶されている全画像データ（画像Ｅ〜Ｇ、その他相当数の画像Ｘ）、及びＷｅｂサーバ２０に蓄積されている全画像データ（画像Ｈ〜Ｊ、その他相当数の画像Ｘ）の中から、画像Ｇを探し出すことをユーザーが所望しているものとして説明を行う。各画像Ａ〜Ｊには、画像データと共に撮影日時、撮影場所、撮影シーン及び保存場所等の画像に関する情報がタグデータとしてＥｘｉｆ（Ｅｘｃｈａｎｇａｂｌｅ  ｉｍａｇｅ  ｆｉｌｅ  ｆｏｒｍａｔ）等の所定の形式で付加されている。図３においては、画像に関する情報として撮影日、撮影場所及び撮影シーンを示している。
【００１４】
ＣＰＵ４は、操作部１０を介してユーザーにより画像検索の実施が選択されたことを認識すると、内部メモリ６、メモリカード１２ａ及びＷｅｂサーバ２０に記憶されている全画像の縮小画像を表示部８に表示する（ステップＳ１０）。即ち、図４に示すような画面２２を表示部８に表示する。図４に示す画面２２の左下部の「ステップ１」と表記されたタブ２４は、後述する他の画面３６，５０，６４（図７参照）から画面２２に切り替える際に用いられる。また、画面２２内の画像表示部２６には、内部メモリ６、メモリカード１２ａ及びＷｅｂサーバ２０に記憶されている全画像（画像Ａ〜Ｊ、その他相当数の画像Ｘ）の縮小画像の一部が無作為に選択された順序で表示されている。画像表示部２６に表示されていない縮小画像は、スクロール表示させることができ、スクロールは、ポインティングデバイスやタッチパネル等で画像表示部２６の右側のスクロールバー２８のノブ２８ａをドラッグまたはアロー２８ｂ，２８ｃをクリックすることにより行う。
【００１５】
また、画像表示部２６に表示される縮小画像の順序は、撮影日の昇降順、撮影場所順、シーン順、保存場所順、ファイル名順等でなく、無作為に選択されたものである。この実施の形態における無作為に選択される順序としては、完全にランダムに選択される順序のみならず、例えば内部メモリ６、メモリカード１２ａ及びＷｅｂサーバ２０の順に一画像ずつランダムに選択される順序、撮影日が最も古い画像、撮影日が最も新しい画像、撮影日が２番目に古い画像、撮影日が２番目に新しい画像の順にランダムに選択される順序等も含まれる。縮小画像を無作為に選択された順序で画像表示部２６に表示させることにより、予め設定された所定条件により並べ替えられた順序で表示される縮小画像と異なる縮小画像を、スクロール表示させることなく視認することができる。即ち、スクロール移動する前に様々な縮小画像を視認することができ、なるべく多くの画像をユーザーに見せることが可能となる。
【００１６】
また、画面２２内であって画像表示部２６の下部には、抽出条件となる日付、シーン、場所、保存場所に対応してチェックボックス３０ａ〜３０ｄが設けられている。ユーザーは、画像表示部２６内に表示されている少なくとも１つの縮小画像をポインティングデバイスやタッチパネル等でクリックすることにより選択し、かつ少なくとも１つのチェックボックス３０ａ〜３０ｄ内にチェックマークを入れる。なお、この実施の形態では、図４に示すように、ユーザーにより画像Ｅの縮小画像が選択され、かつチェックボックス３０ａ，３０ｃ内にチェックマークが入れられたものとして説明を行う。
【００１７】
ユーザーにより画像の選択及びチェックマークの入力が行われ、画面２２内の下部右側にある抽出開始ボタン３２がクリックされると、ＣＰＵ４は、ユーザーにより指定された抽出条件（以下、第１条件という。）に基づいて、画像を抽出する（ステップＳ１１）。即ち、ユーザーによりチェックマークが入れられたチェックボックス３０ａ，３０ｃに対応する撮影日または場所が、ユーザーにより選択された画像Ｅの撮影日または場所と同一の画像を全画像Ａ〜Ｊ，Ｘの中から抽出する。この実施の形態では、撮影日が６／１または撮影場所がハワイという第１条件に合致した画像Ａ〜Ｇ，Ｘが抽出される。そして、ＣＰＵ４は、第１条件として用いられた抽出条件に関する情報、及び第１条件による抽出結果に関する情報を内部メモリ６等に記憶させる。
【００１８】
なお、抽出開始ボタン３２の左側に表記されている「ＡＮＤ条件で検索」の左側のラジオボタン３４がユーザーにより選択されると、ＣＰＵ４は、撮影日が６／１及び撮影場所がハワイという条件に合致した画像Ｄ，Ｅ，Ｘを抽出する。また、画像表示部２６の右下部に表記されている「お勧め抽出条件  撮影日＋場所＋シーン＋保存場所」については後述する。
【００１９】
次に、ＣＰＵ４は、ステップＳ１１において第１条件に基づいて抽出された画像Ａ〜Ｇ，Ｘの縮小画像を表示部８に表示する（ステップＳ１２）。即ち、図５に示すような画面３６を表示部８に表示する。画面３６の左下部の「ステップ２」と表記されたタブ３８は、他の画面２２から画面３６に切り替える際に用いられる。即ち、画面３６が表示部８に表示されているときにユーザーによりタブ２４がクリックされると、画面２２（図４参照）が表示部８に表示され、画面２２が表示されているときにユーザーによりタブ３８がクリックされると、画面３６が表示部８に表示される。
【００２０】
また、画面３６内の画像表示部４０には、ステップＳ１１において第１条件に基づいて抽出された画像Ａ〜Ｇ，Ｘの縮小画像の一部が無作為に選択された順序で表示されている。画像表示部４０に表示されていない縮小画像は、スクロールバー４２のノブ４２ａをドラッグまたはアロー４２ｂ，４２ｃを用いてスクロール表示させる。
【００２１】
また、画像表示部４０に表示される画像Ａ〜Ｇ，Ｘの縮小画像は、画像表示部２６（図４参照）に表示される画像Ａ〜Ｇ，Ｘの縮小画像の位置と異なる位置に表示される。例えば、画像Ｂの縮小画像は、スクロール移動させる前の画像表示部４０の左上部に表示されているが、スクロール移動させる前の画像表示部２６の左上部に表示されず、下方向にスクロール移動させた後の画像表示部２６の何れかの位置に表示される。即ち、スクロール移動する前に、画像表示部２６に表示されていた縮小画像と異なる縮小画像を視認することができ、所望の画像の縮小画像をより速く視認する可能性が高まる。但し、ステップＳ１１においてユーザーにより選択された画像Ｅの縮小画像が画像表示部４０に表示される位置は、ユーザーの混乱を避けるため、画像表示部２６に表示される位置と同一にする。なお、画像表示部４０に表示される画像Ａ〜Ｇ，Ｘの縮小画像の少なくとも一部、例えばスクロール移動する前に画像表示部に３８に表示される縮小画像のみを、画像表示部２６に表示される画像Ａ〜Ｇ，Ｘの縮小画像の位置と異なる位置に表示させることもできる。
【００２２】
図５に示すように、ユーザーにより画像Ａ，Ｂの縮小画像が選択され、チェックボックス４４ａ〜４４ｄのうちチェックボックス４４ｂ内にチェックマークが入れられた後、抽出開始ボタン４６がクリックされると、ＣＰＵ４は、ユーザーにより指定された抽出条件（以下、第２条件という。）に基づいて、第１条件で抽出された画像の中から画像を抽出する（ステップＳ１３）。このように、２つ以上の縮小画像を選択することもでき、この場合には、画像ＡまたはＢと同一の撮影シーンの画像、即ち、撮影シーンが風景または人物という第２条件に合致する画像Ａ，Ｂ，Ｅ〜Ｇ，Ｘが抽出される。そして、ＣＰＵ４は、第２条件として用いられた抽出条件に関する情報、及び第２条件による抽出結果に関する情報を内部メモリ６等に記憶させる。
【００２３】
なお、「ＡＮＤ条件で検索」のラジオボタン４８は、図４に示すラジオボタン３４と同一の構成である。また、画像表示部４０の右下部に表記されている「お勧め抽出条件  撮影日＋場所＋シーン」については後述する。
【００２４】
次に、ＣＰＵ４は、ステップＳ１３において第２条件に基づいて抽出された画像Ａ，Ｂ，Ｅ〜Ｇ，Ｘの縮小画像を表示部８に表示する（ステップＳ１４）。即ち、図６に示すような画面５０を表示部８に表示する。「ステップ３」と表記されたタブ５２は、他の画面２２，３６から画面５０に切り替える際に用いられる。また、画像表示部５４には、ステップＳ１３において第２条件に基づいて抽出された画像Ａ，Ｂ，Ｅ〜Ｇ，Ｘの縮小画像が無作為に選択された順序で表示され、スクロールスクロールバー５６を用いてスクロール表示される。
【００２５】
画像表示部５４に表示される画像Ｅ〜Ｇ，Ｘの縮小画像は、画像表示部４０（図５参照）に表示される画像Ｅ〜Ｇ，Ｘの縮小画像の位置と異なる位置に表示される。但し、ステップＳ１３においてユーザーにより選択された画像Ａ，Ｂの縮小画像が画像表示部５４に表示される位置は、画像表示部４０に表示される位置と同一である。
【００２６】
図６に示すように、ユーザーにより画像Ｆの縮小画像が選択され、チェックボックス５８ａ〜５８ｄのうちチェックボックス５８ｄ内にチェックマークが入れられた後、抽出開始ボタン６０がクリックされると、ＣＰＵ４は、ユーザーにより指定された抽出条件（以下、第３条件という。）に基づいて、第２条件で抽出された画像の中から画像を抽出する（ステップＳ１５）。即ち、画像Ｆと同一の保存場所の画像、即ち、メモリカード１２ａに保存されているという第３条件に合致する画像Ｅ〜Ｇを抽出する。そして、ＣＰＵ４は、第３条件として用いられた抽出条件に関する情報、及び第３条件による抽出結果に関する情報を内部メモリ６等に記憶させる。
【００２７】
なお、「ＡＮＤ条件で検索」のラジオボタン６２は、図４に示すラジオボタン３４と同一の構成である。また、画像表示部５４の右下部に表記されている「お勧め抽出条件  保存場所」については後述する。
【００２８】
次に、ＣＰＵ４は、ステップＳ１５において第３条件に基づいて抽出された画像Ｅ〜Ｇの縮小画像を表示部８に表示する（ステップＳ１６）。即ち、図７に示すような画面６４を表示部８に表示する。「ステップ４」と表記されたタブ６６は、他の画面２２，３６，５０から画面６４に切り替える際に用いられる。また、画像表示部６８には、ステップＳ１５において第３条件に基づいて抽出された画像Ｅ〜Ｇの縮小画像が無作為に選択された順序で表示される。このように、スクロール移動することなく、所望の画像Ｇの縮小画像が画像表示部６８に表示され、ユーザーにより画像Ｇが確認される。
【００２９】
なお、ステップＳ１５においてユーザーにより選択された画像Ｆの縮小画像が画像表示部６８に表示される位置は、画像表示部５４に表示される位置と同一である。また、チェックボックス７０ａ〜７０ｄ、抽出開始ボタン７２、ラジオボタン７４は、更に画像を抽出する際に用いられ、それらの構成は、図４に示すチェックボックス３０ａ〜３０ｄ、抽出開始ボタン３２、ラジオボタン３４の構成と同一である。また、この実施の形態では、画像の抽出を３回行っているが、４回以上、例えばユーザー所望の画像が画像表示部にスクロール移動させる前に表示されるまで行なってよい。
【００３０】
次に、画面２２，３６，５０，６４に表記されている「お勧め抽出条件…」について説明する。「お勧め抽出条件…」は、画像表示装置２が推奨する抽出条件である。即ち、画像表示装置２は、ステップＳ１１において画像を抽出する際の第１条件として、「撮影日＋場所＋シーン＋保存場所」を推奨している。ここで、「撮影日＋場所＋シーン＋保存場所」は、ユーザーにより選択された画像の撮影日、撮影場所、撮影シーン及び保存場所の少なくとも１つと同一の画像を抽出する抽出条件のことを示している。
【００３１】
例えば、ＣＰＵ４は、前回の画像抽出の際に第１〜第３条件として用いられた抽出条件を、今回の第１〜第３条件のお勧め抽出条件として表示する。また、過去数回の画像抽出の際に第１〜第３条件として用いられた抽出条件の中で最も多く用いられた抽出条件を、今回の第１〜第３条件のお勧め抽出条件として表示してもよい。また、第１条件として用いられた抽出条件と異なる抽出条件を第２条件のお勧め抽出条件として、第１及び第２条件として用いられた抽出条件と異なる抽出条件を第３条件のお勧め抽出条件として表示してもよい。
【００３２】
また、撮影日及び撮影場所は、撮影シーン及び保存場所等と比較して抽出条件として用いられることが多いと予想されるため、他の抽出条件よりお勧め抽出条件として設定することもできる。また、例えば、多数の抽出条件の少なくとも１つと同一の画像を抽出する抽出条件（ＯＲ条件）を初回のお勧め抽出条件として、少数の抽出条件の少なくとも１つと同一の画像を抽出する抽出条件を２〜３回目のお勧め抽出条件として、少数の抽出条件の全部と同一の画像を抽出する抽出条件（ＡＮＤ条件）を４〜５回目のお勧め抽出条件として、多数の抽出条件の全部と同一の画像を抽出する抽出条件（ＡＮＤ条件）を６回目以降のお勧め抽出条件として設定することもできる。このように、推奨する抽出条件が表示されると、ユーザーは、深く考えることなく（あいまいな状態で）、お勧め抽出条件による誘導（案内）に従うことができ、画像抽出を容易に行うことができる。
【００３３】
第１の実施の形態に係る画像表示装置２によれば、最初の抽出条件に基づき画像を抽出し、その抽出結果をもとに次の抽出条件に基づき画像を抽出することができるため、相当数の画像の中から徐々に画像を絞り込むことができ、所望の画像を容易かつ迅速に抽出することができる。また、画像表示部に表示されている画像の何らかの条件と一致する画像を抽出することができるため、直観的に所望の画像を探し出すことができる。また、抽出されるすべての画像がスクロール移動させることなく画像表示部に表示されるまで、画像の抽出を継続させることができるため、スクロール移動させて延々と所望の画像を探し出す必要がない。また、すべての抽出条件及びすべての抽出結果を記憶しているため、例えば３回目の抽出の後、１回目または２回目の抽出結果等を再表示させることができる。
【００３４】
次に、図面を参照して、本発明の第２の実施の形態に係る画像表示装置について説明する。なお、第２の実施の形態に係る画像表示装置においては、第１の実施の形態に係る画像表示装置２の構成と同一の構成を有しているため、その説明を省略し、同一の構成には同一の符号を用いて説明を行う。
【００３５】
図８は、第２の実施の形態に係る画像表示装置２において所望の画像を抽出する際の処理について説明するためのフローチャートである。なお、この実施の形態では、図３に示す内部メモリ６、メモリカード１２ａ及びＷｅｂサーバ２０に蓄積されている全画像Ａ〜Ｊ、その他相当数の画像Ｘの中から、画像Ｃを探し出すことをユーザーが所望しているものとして説明を行う。また、図２に示すステップＳ１０〜Ｓ１６の処理と同様の処理を行なった後、ユーザーが画像表示部６４に画像Ｃが表示されていないことから、画像Ｃが抽出されていないことを認識したものとして説明を行う。
【００３６】
まず、図７に示す画面６４が表示部８に表示されている状態から操作部１０を介してユーザーによりタブ３８がクリックされると、ＣＰＵ４は、第２条件による抽出結果を内部メモリ６から読込み、図２のステップＳ１１において抽出された画像Ａ〜Ｇ，Ｘの縮小画像を表示部８に再表示する（ステップＳ２０）。即ち、図９に示すような画面３６を表示部８に再表示する。なお、ユーザーにより他のタブ２４，５２がクリックされると、ＣＰＵ４は、第１，第３条件による抽出結果を内部メモリ６から読込み、他の画面２２（図５参照），５０（図６参照）を表示部８に再表示する。
【００３７】
次に、図９に示すように、ユーザーにより画像Ａの縮小画像が選択され、チェックボックス４４ａ内にチェックマークが入れられた後、抽出開始ボタン４６がクリックされると、ＣＰＵ４は、ユーザーにより変更された第２条件に基づいて、画像を抽出する（ステップＳ２１）。即ち、画像Ａと同一の撮影日の画像、即ち、撮影日が６／１の画像Ａ〜Ｅ，Ｘを抽出する。そして、変更された第２条件に関する情報及びステップＳ２１における抽出結果を内部メモリ６に記憶させる。
【００３８】
次に、ＣＰＵ４は、ステップＳ２１において変更された第２条件に基づいて抽出された画像Ａ〜Ｅ，Ｘの縮小画像を表示部８に表示する（ステップＳ２２）。即ち、図１０に示すような画面５０を表示部８に表示する。画面５０内の画像表示部５４には、ステップＳ２１において変更された第２条件に基づいて抽出された画像Ａ〜Ｅ，Ｘの縮小画像の一部が無作為に選択された順序で表示される。
【００３９】
次に、図１０に示すように、ユーザーにより画像Ｂの縮小画像が選択され、チェックボックス５８ｂ内にチェックマークが入れられた後、抽出開始ボタン６０がクリックされると、ＣＰＵ４は、ユーザーにより変更された第３条件に基づいて、画像を抽出する（ステップＳ２３）。即ち、画像Ｂと同一の撮影場所の画像、即ち、撮影場所がパリの画像Ａ〜Ｃを抽出する。そして、変更された第３条件に関する情報及びステップＳ２３における抽出結果を内部メモリ６に記憶させる。
【００４０】
次に、ＣＰＵ４は、ステップＳ２３において変更された第３条件に基づいて抽出された画像Ａ〜Ｃの縮小画像を表示部８に表示する（ステップＳ２４）。即ち、図１１に示すような画面６４を表示部８に表示する。画面６４内の画像表示部６８には、ステップＳ２３において変更された第３条件に基づいて抽出された画像Ａ〜Ｃの縮小画像が無作為に選択された順序で表示される。このように、スクロール移動することなく、所望の画像Ｃの縮小画像が画像表示部６８に表示され、ユーザーにより画像Ｃが確認される。
【００４１】
第２の実施の形態に係る画像表示装置２によれば、すべての抽出条件に関する情報を記憶させ、各抽出条件を変更することができるため、抽出に失敗した場合においても改めて最初から画像の抽出を行う必要がなく、例えば２回目、３回目の抽出条件を変更し、画像の再抽出を行うことができ、所望の画像を迅速に探し出すことができる。また、すべての抽出結果を記憶させることができるため、各抽出結果の再表示を容易に行うことができる。
【００４２】
なお、第２の実施の形態においては、ステップＳ２１の処理の後であってステップＳ２３の処理の前に、変更される前の第３条件に基づいて抽出される画像も更新される。即ち、変更された第２条件に基づいて抽出された画像から、変更される前の第３条件に基づいて画像が抽出される。よって、ステップＳ２２の処理の後であってステップＳ２３の処理の前に、ユーザーによりタブ６６がクリックされると、更新された抽出結果が画像表示部６８に表示される。即ち、変更された第２条件に基づいて抽出された画像から、変更される前の第３条件に基づいて抽出された画像が表示される。
【００４３】
また、上述の各実施の形態においては、内部メモリ６、メモリカード１２ａ及びＷｅｂサーバ２０に記憶されている画像の中から所望の画像を抽出しているが、内部メモリ６、メモリカード１２ａ及びＷｅｂサーバ２０の少なくとも１つに記憶されている画像の中から所望の画像を抽出してもよい。
【産業上の利用可能性】
【００４４】
所望の画像を抽出可能な画像表示装置として産業上利用可能である。
【符号の説明】
【００４５】
２…画像表示装置、４…ＣＰＵ、６…内部メモリ、８…表示部、１０…操作部、１２…メモリカードスロット、１４…ＵＳＢポート、１６…ネットワーク端子、１８…ネットワーク、２０…Ｗｅｂサーバ。
【図１】
2010212932.tif 000003
【図２】
2010212932.tif 000004
【図３】
2010212932.tif 000005
【図４】
2010212932.tif 000006
【図５】
2010212932.tif 000007
【図６】
2010212932.tif 000008
【図７】
2010212932.tif 000009
【図８】
2010212932.tif 000010
【図９】
2010212932.tif 000011
【図１０】
2010212932.tif 000012
【図１１】
2010212932.tif 000013